(57)【要約】【課題】バッグに着脱自在となるように時計を装着し、腕時計を腕に付けていなくても、バッグの手提げによって、適宜時間を確認することができるバッグを提供すること。【解決手段】バッグ１における手提げ部２に腕時計３の時計本体部３１が装着されること。前記時計本体部３１は、前記手提げ部２の付け根部２ａの位置に装着されること。前記手提げ部２は中間適所にて分離自在とされ、前記腕時計３には、分離された前記手提げ部２を挿通自在とした挿通部３２が設けられること。前記腕時計３は、文字盤が上下反対となるようにして前記手提げ部２に装着されること。  【選択図】図１
2007330710.tif 000002
【特許請求の範囲】
【請求項１】
バッグにおける手提げ部に腕時計の時計本体部が装着されてなることを特徴とするバッグ。
【請求項２】
請求項１において、前記時計本体部は、前記手提げ部の付け根部の位置に装着されてなることを特徴とするバッグ。
【請求項３】
請求項１又は２において、前記手提げ部は中間適所にて分離自在とされ、前記腕時計には、分離された前記手提げ部を挿通自在とした挿通部が設けられてなることを特徴とするバッグ。
【請求項４】
請求項１,２又は３において、前記腕時計は、文字盤が上下反対となるようにして前記手提げ部に装着されてなることを特徴とするバッグ。
【請求項５】
請求項１,２,３又は４において、前記時計の時計本体部の背面側には、一端が回動中心となって回動すると共に他方側端部に係止部が形成されたカバー部が装着され、該カバー部と前記時計本体部の背面側にて前記手提げ部が挟持されてなることを特徴とするバッグ。
【発明の詳細な説明】
【技術分野】
【０００１】
本発明は、バッグに着脱自在となるように時計を装着し、腕時計を腕に付けていなくとも、バッグの手提げによって、時間を確認することができるバッグに関する。
【背景技術】
【０００２】
近年、トートバッグのような肩掛けタイプのバッグを所有する人が多くなっている。また、携帯電話が普及していることで、携帯電話からすぐに時間を知ることができ、いちいち腕時計をベルトによって装着することが面倒となり、カジュアルな場面では、所持する機会が次第に減りつつある。しかし、その反面、デザイン性及びファッション性の豊かな腕時計もよく出回っている。前述のトートバッグは、特に出入れ口が広くなっており、物の出し入れが効率的にできるものであり、携帯電話等も気軽に収納することができる。
【特許文献１】実開平６−５８３９２号
【特許文献２】実開平７−３９５６６号
【発明の開示】
【発明が解決しようとする課題】
【０００３】
前述したように、たとえばトートバッグ等のカジュアルなバッグは、気軽に物を収納することができるものであるが、収納物が多くなり、しかも携帯電話がバッグの底の部分にあるときにはすぐに取り出しにくく、携帯電話から時間を知ることは困難になる。このようなことから、腕時計が無くても、或いはすぐに携帯電話を取り出せる状況でなくとも、時間を知りたいときには、すぐに時間を知ることができるようにしたバッグがいくつか開発され、特許文献１，２に開示されている。特許文献１は、時計本体が鎖のような紐状部材によって連結されている。特許文献２では、バッグの蓋金具の部分に時計が埋め込まれている。
【０００４】
先ず特許文献１では、時計本体が単に鎖のような紐状部材によってのみ連結されている構造である。これでは、時計本体がバッグから外れたり、脱落する等紛失し易くなるのみならず、スリによって、時計が盗難に会い易くなる。また、特許文献２では、蓋金具等に埋め込まれた構造であるために、紛失しにくいものであるが、その反面，時計をバッグに装着するのが面倒である。本発明が解決しようとする課題（技術的課題又は目的）は、バッグに時計を装着し易く、また、装着された時計の時間を確認し易くすることである。
【課題を解決するための手段】
【０００５】
そこで、発明者は、上記課題を解決すべく、鋭意，研究を重ねた結果、請求項１の発明を、バッグにおける手提げ部に腕時計の時計本体部が装着されてなるバッグとしたことにより、上記課題を解決した。請求項２の発明を、前述の構成において、前記時計本体部は、前記手提げ部の付け根部の位置に装着されてなるバッグとしたことにより、上記課題を解決した。
【０００６】
請求項３の発明を、前述の構成において、前記手提げ部は中間適所にて分離自在とされ、前記腕時計には、分離された前記手提げ部を挿通自在とした挿通部が設けられてなるバッグとしたことにより、上記課題を解決した。請求項４の発明を、前述の構成において、前記腕時計は、文字盤が上下反対となるようにして前記手提げ部に装着されてなるバッグとしたことにより、上記課題を解決した。
【０００７】
請求項５の発明を、前述の構成において、前記時計の時計本体部の背面側には、一端が回動中心となって回動すると共に他方側端部にロック部が設けられたカバー部が装着され、該カバー部と前記時計本体部の背面側にて前記手提げ部が挟持されてなるバッグとしたことにより、上記課題を解決した。
【発明の効果】
【０００８】
請求項１の発明によって、バッグにおける手提げ部に腕時計の時計本体部が装着されることで、腕時計によって時間を確認するのと同等感覚に時間を確認することができる。さらに、腕時計を装着する必要がなく、カジュアルな状況に好適なものである。請求項２の発明は、前記時計本体部は、前記手提げ部の付け根部の位置に装着されることにより、特に、時計本体部の位置がバッグの手提げ部を肩に掛けた状態で下方に位置することとなり、使用者は、その時計本体部を見易くすることができる。
【０００９】
請求項３の発明は、前記手提げ部は中間適所にて分離自在とされ、前記腕時計には、分離された前記手提げ部を挿通自在とした挿通部が設けられたバッグとしたことにより、時計本体部を手提げ部により一層，簡単に装着することができる。また、時計本体部は、前記手提げ部から外して、腕帯部（リストバンド）に装着することで腕時計として使用できるものであり、多様性のある使用が可能となる。請求項４の発明は、前記腕時計は、文字盤が上下反対となるようにして前記手提げ部に装着されたことにより、腕時計を確認するのと同等の感覚で見ることができる。
【００１０】
請求項５の発明は、前記時計の時計本体部の背面側には、一端が回動中心となって回動すると共に他方側端部に係止部が形成されたカバー部が装着され、該カバー部と前記時計本体部の背面側にて前記手提げが挟持されたことにより、時計本体部をより一層，簡単に装着することができる。特に、前記手提げ部は、ループ状態のままで時計本体部を装着することができるものである。
【発明を実施するための最良の形態】
【００１１】
以下、本発明の実施形態を図面に基づいて説明する。本発明の構成は、バッグ１と腕時計３とから構成されている。前記バッグ１は、図１に示すように、バッグ本体部１１と手提げ部２とから構成されている。そのバッグ本体部１１は、正方形状又は長方形等の方形状の袋形に形成されたものであり、布地，ナイロン，合成樹脂，紙等から形成され、特に柔軟な生地で形成されている。
【００１２】
そして、前記バッグ本体部１１は、２つ（２枚）の側面生地部１１１，１１１から構成され、両側面生地部１１１，１１１が平行に２枚組み合わさって袋体を構成している。そして、両側面生地部１１１，１１１との間に適当な収納スペースが形成されるようにして、マチが設けられており、収納容積を大きくしている。バッグ本体部１１の出し入れ口１１ａは、常時開放された状態としたり、又はジッパ等で出し入れ口１１ａを閉じることが可能な構成としている。このようなバッグ本体部１１が使用されたバッグとしては、手提げバッグ及び肩掛けタイプのバッグであり、具体的にはトートバッグ等である。
【００１３】
手提げ部２は、図１に示すように、帯状材から構成され、略逆Ｕ字形状に形成されたものであり、前記バッグ本体部１を構成する前記両側面生地部１１１，１１１の上端縁箇所に縫い付けられている。そして、そのバッグ本体部１１には、手提げ部２が設けられている。その手提げ部２は、肩に掛けるのに適正なループ状をなしており、肩に掛けることや手に持つことが容易にできるものである。具体的には、その手提げ部２は、前記バッグ本体部１１に対して対向する両側面生地部１１１，１１１にそれぞれ装着されており、該両側面生地部１１１，１１１の上方に略逆Ｕ字形状に設けられている。それぞれの手提げ部２において、前記バッグ本体部１１への縫付箇所は、付根部２ａ，２ａと称する。
【００１４】
前記手提げ部２は、図２に示すように、中間適所にて分離自在とされた構成としたものであり、バックル２１と、帯部２２とから構成される。前記バックル２１は、尾錠等が使用される。具体的には、前記側面生地部１１１における前記手提げ部２の一方の付け根部２ａの位置にバックル２１が装着され、他方側の付け根部２ａの位置に、前記帯部２２の長手方向一端が縫着される位置としている。
【００１５】
そして、前記帯部２２には、前記バックル２１の固定棒軸２１ａが挿入する複数個の固定孔２２ａ，２２ａ，…が形成されている。また、前記バックル２１の位置は、前記手提げ部２の中間位置でも構わない。この場合には、前記帯部２２は両付け根部２ａ，２ａに縫着されており、いずれか一方の帯部２２にバックル２１が装着されている。
【００１６】
次に、腕時計３は、図３（Ｃ）に示すように、時計本体部３１と腕帯部３４とから構成されている。前記時計本体部３１は、時計機構が収められたケーシングの部位である。また前記腕帯部３４は、１本の帯状材であり、その長手方向一端側に小バックル３４ａが装着されている。また、長手方向の他方側には固定孔３４ｂ，３４ｂ，…が形成されている。前記腕帯部３４は、前記時計本体部３１に装着されて通常の腕時計として使用されるものである。
【００１７】
また、腕帯部３４については、時計本体部３１に形成された挿通部３２を介して装着されるものであり、前述したように、前記腕帯部３４は、１本の帯から構成される実施例と共に、前記時計本体部３１の対向する両側の挿通部３２，３２にそれぞれ装着することができるように２本の帯片から構成されることもある。前記時計本体部３１には、前述したように、挿通部３２，３２が形成されている。
【００１８】
該挿通部３２は、前記時計本体部３１の上下方向の両側に形成されたものである。ここで、時計本体部３１の上下方向とは、時計文字盤の上下を基準としたものであり、１２時の位置が上方であり、６時の位置が下方となる。前記挿通部３２は、軸支突起片３２ａと軸部３２ｂとから構成されたものである。そして、それぞれの挿通部３２は、適宜の間隔をおいて配置された軸支突起片３２ａ，３２ａの間に前記軸部３２ｂが軸支固定されたものである。そして、前記腕帯部３４は、一方の挿通部３２の軸部３２ｂから時計本体部３１の背面側３１ｂに向かって挿通され、他方の挿通部３２の軸部３２ｂから前記時計本体部３１の正面側３１ａに出るようにして装着され、腕時計３として使用される。
【００１９】
次に、前記腕時計３の時計本体部３１の第２実施形態として、図５（Ａ），（Ｂ）に示すように、背面側３１ｂに、一端が回動中心となって回動すると共に他方側端部に係止部３３３が設けられたカバー部３３が装着されたものが存在する。前記カバー部３３は、押え板３３１，回動基部３３２，係止部３３３及び被係止部３３４から構成されている。前記カバー部３３の押え板３３１は、前記回動基部３３２を介して回動自在な構成となっている。該回動基部３３２は、前記時計本体部３１の背面側３１ｂに一体形成されたものであり、回動基部３３２の回動中心箇所が薄肉状となっている。
【００２０】
前記係止部３３３は、前記押え板３３１の回動自由端側に一体形成されたものであり、前記時計本体部３１の背面側３１ｂに形成された被係止部３３４と嵌合状態で係止及び分離させることができる。そして、カバー部３３の係止部３３３と被係止部３３４とを係止させることによって、時計本体部３１の背面側３１ｂに挿通部３２を構成することができるものである。
【００２１】
次に、本発明の第１実施形態及び第２実施形態における時計本体部３１を手提げ部２に装着する工程について説明する。まず、第１実施形態の時計本体部３１では、前記手提げ部２の帯部２２をバックル２１箇所で分離させる（図２参照）。そして分離した帯部２２を前記時計本体部３１の挿通部３２，３２に腕帯部３４と同等の要領にて装着する。手提げ部２に時計本体部３１が装着されると、前記バックル２１を介して、帯部２２がループを構成し、手提げ部２となるものである（図１参照）。
【００２２】
次に、第２実施形態の時計本体部３１では、前記カバー部３３の係止部３３３が被係止部３３４から外されて分離され〔図５（Ｂ），図６（Ａ）参照〕、前記押え板３３１を時計本体部３１の背面側３１ｂより開く。そして、前記背面側３１ｂと押え板３３１との間に手提げ部２の帯部２２が配置され、押え板３３１の係止部３３３と前記時計本体部３１の背面側３１ｂに形成された被係止部３３４とが係止され、前記押え板３３１と前記時計本体部３１の背面側３１ｂとで前記手提げ部２の帯部２２が挟持されるようにして、手提げ部２に時計本体部３１が装着されるものである〔図４，図６（Ｂ）参照〕。このとき、第１実施形態及び第２実施形態の時計本体部３１は文字盤が上下反対となるようにして装着されることにより、時計本体部３１の時間確認は、腕時計と同等の間隔にて時間を見ることができる。
【図面の簡単な説明】
【００２３】
【図１】（Ａ）は第１実施形態の時計本体部を手提げ部に装着した状態の斜視図、（Ｂ）は（Ａ）の時計本体部を手提げ部の付け根部に装着した常態の要部拡大断面図である。
【図２】第１実施形態の時計本体部を手提げ部に装着する行程を示す正面図である。
【図３】（Ａ）は時計本体部の正面図、（Ｂ）は手提げ部に時計本体部が装着された正面図、（Ｃ）は腕時計として使用される状態図である。
【図４】第２実施形態の時計本体部を手提げ部に装着した状態の斜視図である。
【図５】（Ａ）は第２実施形態の時計本体部の背面側より見た斜視図、（Ｂ）はカバー部が外された状態の背面側より見た斜視図である。
【図６】（Ａ）はカバー部が外された状態の断面図、（Ｂ）は時計本体部の背面側とカバー部によって手提げ部を挟持した状態の断面図である。
【符号の説明】
【００２４】
１…バッグ、２…手提げ部、２ａ…付け根部、３…腕時計、３１…時計本体部、
３１ｂ…背面側、３２…挿通部、３３…カバー部、３３３…係止部。
【図１】
2007330710.tif 000003
【図２】
2007330710.tif 000004
【図３】
2007330710.tif 000005
【図４】
2007330710.tif 000006
【図５】
2007330710.tif 000007
【図６】
2007330710.tif 000008